(57)【特許請求の範囲】
【請求項１】
固定部材によって固定される複数の光源と、これら複数の光源の間に配置される導光板と、を備え、前記光源からの光が前記導光板を透過するようにしたバックライト装置において、
前記光源からの光を所定の側に照射するように、前記導光板の背面及び前記光源と前記固定部材とを合わせた部分の背面にそれぞれ反射板を配置し、
前記反射板を熱伝導率の高い金属で形成し、
前記固定部材を熱伝導率の高い樹脂材料で形成し、
前記光源と前記固定部材とを合わせた部分の背面に配置された反射板を、該固定部材に接触させると共に前記導光板の両面にまで延設し、
前記導光板及び前記反射板を挟み込むように金属製シャーシを配置し、かつ、
前記反射板の延設部分は前記シャーシに接続して固定された、
ことを特徴とするバックライト装置。
【請求項２】
前記反射板に、放熱用のフィンが接続され、
前記光源からの熱が、前記反射板及び前記フィンを介して放散される、
ことを特徴とする請求項１記載のバックライト装置。
【請求項３】
電極を形成した一対の基板間に液晶を保持してなる液晶パネルと、請求項１又は２に記載のバックライト装置と、を備えた液晶表示装置において、
前記光源から照射され前記反射板から反射された光が、前記導光板中を透過して前記液晶パネルを照射する、
ことを特徴とする液晶表示装置。
【発明の詳細な説明】
【０００１】
【産業上の利用分野】
本発明は、いわゆるエッジ式のバックライト装置及び該バックライト装置を備えた液晶表示装置に係り、特に、光源からの熱を効率良く放散させる構造に関する。
【０００２】
【従来の技術】
従来より、バックライト装置を有する透過型の液晶表示装置は種々提案されている。そして、それらは、光源を液晶パネルの直下に配置する“直下式”のものと、液晶パネルのエッジ部に配置する“エッジ式”のものとに分類される。このうち、直下式のものは、液晶パネルを均一に照射するためにバックライト装置を液晶パネルから離して配置しなければならず、液晶表示装置の薄型化には適していない。これに対してエッジ式のものは、バックライト装置を液晶パネルの近傍に配置できるため薄型化に適するという利点を有している。
【０００３】
次に、このようなエッジ式のバックライト装置を利用した液晶表示装置の具体的な構造について、図１に沿って簡単に説明する。
【０００４】
図に示す液晶表示装置１は、主に、液晶パネル２、該液晶パネル２を照射するバックライト装置Ｂ、及びこれらを収納する筐体Ｃとを備えている。
【０００５】
このうち、液晶パネル２は、透明電極が形成されると共に相対向するように配置された２枚のガラス基板２ａ，２ｂを有しており、これらガラス基板２ａ，２ｂの間隙には液晶（不図示）が保持されている。
【０００６】
また、バックライト装置Ｂは、液晶パネル２のエッジ部下方に配置されたランプ（光源）Ｌ，…を備えており、これらのランプＬ，…の間には、アクリル等の導光板３が配置されている。そして、これら導光板３の下面には、拡散反射率の高い白色シートが配され、ランプＬ，…の外面は、高反射率の銀蒸着フィルム５によって覆われており、ランプＬ，…からの光が効率的に導光板３を介して液晶パネル２に照射され、該液晶パネル２が均一に発光するように構成されていた。また、これら導光板３及びランプＬ，…は、箱状に形成されたシャーシ６ａ，６ｂによって覆われており、シャーシ６ａ，６ｂを介して液晶パネル２側に取り付けられていた。なお、液晶パネル２をカラー化する場合や、パネル２を大型化する場合には、ランプＬ，…を高輝度にする必要があるが、そのために熱陰極管等の高輝度ランプが使用されていた。また、ランプＬ，…の各両端部には電極が形成されており、該電極のシャーシ６ａ，６ｂへの固定は、ランプへの負荷を少なくするために、ゴム製のグロメット（固定部材）Ｇによって行われている。
【０００７】
さらに、このバックライト装置Ｂの下方には回路基板７が配置されており、これらの液晶パネル２、及びバックライト装置Ｂ等は筐体Ｃに収納されるようになっている。なお、この筐体Ｃは、上側筐体Ｃ１及び下側筐体Ｃ２に分割されている。
【０００８】
【発明が解決しようとする課題】
ところで、従来におけるエッジ式のバックライト装置においては、上述したように、導光板３及びランプＬ，…が銀蒸着フィルム５やシャーシ６ａ，６ｂによって覆われており、ランプＬ，…の両端部には、ゴム製のグロメットＧが取り付けられていたため、ランプＬ，…の熱が液晶パネル２との間にこもり易く、その結果、液晶パネル２はランプの熱の影響を受けて表示品位が低下してしまうという問題があった。
【０００９】
また、液晶表示装置内の温度は、当然ながらランプＬ，…の近傍ほど高くなり、特にランプＬ，…の両端部ほど高くなっており、該装置内に温度分布が生じていた。したがって、液晶パネル自体の温度も均一でなく、上記温度分布に応じた分布を生じ、液晶パネルの駆動条件も不均一となり、さらに表示品位を低下させていた。かかる問題は、強誘電性液晶を封入した液晶パネルにおいては顕著であった。
【００１０】
さらに、ランプＬ，…を高輝度にした場合には、ランプＬ，…の発熱量が多くなり、上記問題は顕著であった。
【００１１】
そこで、本発明は、光源を固定するための固定部材や、光を反射するための反射板を熱伝導率の高い材料で形成することにより、光源からの熱を効率よく放散させるバックライト装置及び該バックライト装置を備えた液晶表示装置を提供することを目的とするものである。
【００１２】
【課題を解決するための手段】
本発明は、上述事情に鑑みなされたものであって、本発明に係るバックライト装置は、固定部材によって固定される複数の光源と、これら複数の光源の間に配置される導光板と、を備え、前記光源からの光が前記導光板を透過するようにしたものであり、前記光源からの光を所定の側に照射するように、前記導光板の背面及び前記光源と前記固定部材とを合わせた部分の背面にそれぞれ反射板を配置し、前記反射板を熱伝導率の高い金属で形成し、前記固定部材を熱伝導率の高い樹脂材料で形成し、前記光源と前記固定部材とを合わせた部分の背面に配置された反射板を、該固定部材に接触させると共に前記導光板の両面にまで延設し、前記導光板及び前記反射板を挟み込むように金属製シャーシを配置し、かつ、前記反射板の延設部分は前記シャーシに接続して固定された、ことを特徴とする。この場合、前記反射板に、放熱用のフィンが接続され、前記光源からの熱が、前記反射板及び前記フィンを介して放散される、ようにすると好ましい。
【００１３】
一方、本発明に係る液晶表示装置は、電極を形成した一対の基板間に液晶を保持してなる液晶パネルと、上述したバックライト装置と、を備えたものであり、前記光源から照射され前記反射板から反射された光が、前記導光板中を透過して前記液晶パネルを照射する、ことを特徴とする。
【００１４】
【作用】
以上構成に基づき、上述した複数の光源を点灯させると、これらの光源からの光は導光板の中を透過する。ここで、該導光板から前記反射板に照射された光は、該反射板によって反射されて再び導光板内を透過する。そして、これらの光は反射板の配置されていない部分から所定の側に照射される。このとき、光源を固定する固定部材や前記反射板は熱伝導率の高い材料で形成されているため、前記光源から発散された熱はこれら固定部材や反射板を介して放散される。
【００１５】
【実施例】
以下、図面に沿って、本発明の実施例について説明する。なお、図１に示すものと同一部分は同一符号を付して重複説明を省略する。
【００１６】
本実施例に係る液晶表示装置１０においては、導光板３の下面及びランプ（光源）Ｌ，…の外面は、図２に示すように、反射板１１によって覆われている。この反射板１１は、熱伝導性に優れたアルミニウム板によって形成されており、アルミニウム板の表面（すなわち、導光板３及びランプＬ，…側の面）には、銀のフィルムが蒸着されている。
【００１７】
また、本実施例においては、グロメット（固定部材）Ｇは熱伝導性の高い樹脂にて形成されている。さらに、本実施例におけるシャーシ６ａ，６ｂは、金属の板金にて形成したものであり、導光板３等をはさみ込む構造である。またさらに、上述した反射板１１はこのシャーシ６ａ，６ｂに接続して固定されており（図３参照）、ランプＬ，…の熱は、反射板１１及びシャーシ６ａ，６ｂを介して放散されるようになっている。また、反射板１１をシャーシ６ａ，６ｂに対して解放することにより放熱効果を助けるように構成されている。
【００１８】
次に、本実施例の作用について説明する。
【００１９】
本実施例によれば、ランプＬ，…を点灯すると、ランプＬ，…からの光は、導光板３の中を透過し、反射板１１によって反射されて液晶パネル２に照射される。したがって、液晶パネル２に文字等を表示させておくと、その文字等は光によって認識されることとなる。
【００２０】
ところで、本実施例においては、グロメットＧや反射板１１は熱伝導率の高い材料で形成されているため、ランプＬ，…からの熱は、これらを介して容易に放散され、液晶パネル２へはあまり伝達されない。
【００２１】
次に、本実施例の効果について説明する。
【００２２】
本実施例によれば、反射板１１の表面には銀のフィルムが蒸着されているため、ランプＬ，…からの光は効率良く反射される。また、本実施例はエッジ式のバックライト装置であるため、液晶表示装置の薄型化が可能である。さらに、ランプＬ，…からの熱は、熱伝導率の高い材料で形成されたグロメットＧや反射板１１を介して容易に放散されるため、液晶パネル２は熱の影響を受けにくく、したがって、熱の影響に伴う表示品位の低下が抑えられる。またさらに、バックライト装置内に温度分布が生じても、該温度分布の液晶パネル２へ与える影響は少なくなり、液晶パネル２の駆動条件が不均一となったりすることもない。一方、液晶パネル２に伝達される熱量が低減されることから、発熱量の高いランプを使用することができ、したがって、さらに高輝度化を図ることができる。
【００２３】
なお、上述実施例においては、反射板１１をアルミニウムによって形成するものとしたが、もちろんこれに限る必要はなく、熱伝導性のよいものであれば他の金属であってもよい。また、上述実施例においては、反射板１１の表面には銀の薄膜を蒸着したが、光学的に反射率を高める方法であればこれに限る必要はなく、例えば白色の塗装を施すようにしてもよい。
【００２４】
一方、上述実施例においては、グロメットＧを熱伝導性の高い樹脂にて形成したが、さらにこのグロメットＧを、反射板１１やシャーシ６ａ，６ｂ等の金属部分に接触させて放熱効果を高めるようにすると好ましい。また、図４(a) に詳示するように、反射板１１に放熱フィンＦ１を後付けして放熱効果を高めるようにしてもよく、同図(b) に示すように、放熱フィンＦ２を、鋳造等によって反射板１１と一体成形しても良い。
【００２５】
さらに、反射板１１の裏面に黒色の塗料を塗布して輻射効果を高めるようにしてもよい。なお、黒色に塗布するだけでなく、染色するようにしてもよい。
【００２６】
また、反射板の裏面に黒色のフィルムを融着した複合板を用いても、同様の効果が得られる。
【００２７】
【発明の効果】
以上説明したように、本発明によると、光源からの熱は、熱伝導率の高い材料で形成された固定部材や反射板を介して容易に放散される。したがって、本発明に係るバックライト装置を液晶表示装置に適用した場合には、液晶パネルが熱の影響を受けにくくなり、熱の影響に伴う表示品位の低下が抑えられる。また、光源の熱が容易に放散されることから、発熱量の高い光源を使用でき、さらに高輝度化を図ることができる。
【図面の簡単な説明】
【図１】液晶表示装置の従来構造を示す断面図。
【図２】本発明に係る液晶表示装置の構造を示す断面図。
【図３】ランプの取り付け構造等を示す斜視図。
【図４】  (a) は反射板に放熱用のフィンを取り付けた様子を示す図、(b) は、放熱用のフィンが一体に形成された反射板を示す図。
【符号の説明】
１        液晶表示装置
２        液晶パネル
２ａ，２ｂ    基板
３        導光板
１１，…    反射板
Ｂ        バックライト装置
Ｆ１，Ｆ２    放熱用のフィン
Ｇ        固定部材（グロメット）
Ｌ，…    光源（ランプ）
【図１】
0003666897.tif 000002
【図２】
0003666897.tif 000003
【図３】
0003666897.tif 000004
【図４】
0003666897.tif 000005